(57)【要約】【課題】遮熱性に優れ、しかも壁紙の色や模様を自由に選択可能な住宅用遮熱構造を提供する。【解決手段】住宅の壁材２０又は天井に用いられる住宅用遮熱構造において、住宅の壁材２０又は天井に、遮熱粒子である中空で熱容量が小さいセラミックス粉体を含有する壁紙２４を貼着し、室内側に露出させた。そして、その壁紙２４は、セラミックス粉体が混合されたポリ塩化ビニール樹脂からなる樹脂遮熱層２４ａを室内側の表面に有する。【選択図】図１
2014034820.tif 000002
【特許請求の範囲】
【請求項１】
住宅の壁材又は天井に用いられる住宅用遮熱構造において、
前記住宅の壁材又は天井に、遮熱粒子を含有する壁紙を貼着し室内側に露出させたことを特徴とする住宅用遮熱構造。
【請求項２】
前記壁紙は、前記遮熱粒子が混合された樹脂からなる樹脂遮熱層を室内側表面に有することを特徴とする請求項１に記載の住宅用遮熱構造。
【請求項３】
前記壁紙は、前記遮熱粒子が吹き付けられてなる吹付遮熱層を室内側表面に有することを特徴とする請求項１に記載の住宅用遮熱構造。
【請求項４】
前記遮熱粒子はセラミックス粉体であることを特徴とする請求項１乃至３のうちいずれか一つに記載の住宅用遮熱構造。
【発明の詳細な説明】
【技術分野】
【０００１】
本発明は、住宅の壁材又は天井に用いられる住宅用遮熱構造に関するものである。
【背景技術】
【０００２】
近年、より快適な住環境を得るために、様々な断熱処理・遮熱処理が住宅の壁材や天井に施されている。
例えば壁材１０に関して、図２に示すように、外側壁材１１と内側壁材１３との間であって、隣接する間柱Ｈ間に断熱材１２を設けた住宅用遮熱構造が知られている。
この住宅用遮熱構造では、さらに内側壁材１３の室内側Ｐの面に遮熱粒子を含む遮熱塗料１４が塗布されている。
【０００３】
この住宅用遮熱構造によると、間柱Ｈ間の断熱材１２により室内側Ｐと室外側Ｑが断熱されるので、冷暖房の効率が高くなる。
また、内側壁材１３に遮熱塗料１４を塗布したことにより、内側壁材１３から室内への輻射熱を抑制できるので、夏場でも室内における体感温度が低くなる。
【０００４】
一方、遮熱塗料を塗布する代わりに遮熱シートを貼着してなる住宅用遮熱構造も開示されている（例えば、特許文献１参照）。
【先行技術文献】
【特許文献】
【０００５】
【特許文献１】特開２００４−３５３８１１号公報
【０００６】
特許文献１に記載の発明ではアルミを蒸着して遮熱性を得ており、天井（小屋裏）に使用することで室温の上昇を抑えることができる。
このような遮熱シートによると、遮熱塗料のように刷毛やローラーで塗布しなくてもよく、また施工直後の乾燥時間をほとんど必要としないので、遮熱塗料に比べて施工時間が短い。
また、遮熱シートは遮熱塗料のように施工時にまわりを汚すこともないので、養生の必要も無い。
【発明の概要】
【発明が解決しようとする課題】
【０００７】
しかしながら、特許文献１に記載の断熱シートは、アルミを蒸着したことで断熱性・遮熱性を得ているので、室内への輻射熱の放射低減のために壁材や天井の室内側に使用するとアルミの光沢面が室内側に露出してしまい、意匠性に欠けるという欠点がある。
つまり、遮熱のために意匠性が犠牲になってしまい、室内側に露出する壁紙の色や模様を選択できなくなるので、居室の壁紙としては相応しくない。
【０００８】
そこで、本発明の目的とするところは、遮熱性に優れ、しかも壁紙の色や模様を自由に選択可能な住宅用遮熱構造を提供することにある。
【課題を解決するための手段】
【０００９】
上記の目的を達成するために、本発明の請求項１に記載の住宅用遮熱構造は、住宅の壁材（２０）又は天井に用いられる住宅用遮熱構造において、前記住宅の壁材（２０）又は天井に、遮熱粒子を含有する壁紙（２４）を貼着し室内側（Ｐ）に露出させたことを特徴とする。
【００１０】
また、請求項２に記載の住宅用遮熱構造は、前記壁紙（２４）は、前記遮熱粒子が混合された樹脂からなる樹脂遮熱層（２４ａ）を室内側表面に有することを特徴とする。
【００１１】
また、請求項３に記載の住宅用遮熱構造は、前記壁紙（２４）は、前記遮熱粒子が吹き付けられてなる吹付遮熱層を室内側表面に有することを特徴とする。
【００１２】
また、請求項４に記載の住宅用遮熱構造は、前記遮熱粒子はセラミックス粉体であることを特徴とする。
【００１３】
ここで、上記括弧内の記号は、図面および後述する発明を実施するための形態に掲載された対応要素または対応事項を示す。
【発明の効果】
【００１４】
本発明の請求項１に記載の住宅用遮熱構造によれば、住宅の壁材又は天井に、遮熱粒子を含有する壁紙を貼着し室内側に露出させたので、夏においては、壁材から室内への輻射熱の放射が抑制される。よって、室内にいる人の人体から放射される熱量が壁材や天井から室内に放射される熱量よりも大きくなるので、夏でもひんやりとした体感温度となる。
そして、夏に窓を締め切って外出した後に帰宅した場合等に、室温が上昇していても換気をして外気を取り入れると、例えば請求項４のようなセラミックス粉体である遮熱粒子は中空で熱容量が小さいので、遮熱粒子はすぐに換気後の室温と等温となり、室内にいる人は換気後の室温そのものを感じるようになる。
つまり、遮熱粒子を含有する壁紙によって輻射を抑えることで主に空気の対流のみを問題としたので、遮熱効果が高く、夏であってもエアコンを用いずに室内で快適に過ごすことができる。またその結果、大幅な省エネにもなる。
【００１５】
一方、冬においては、遮熱粒子を含有する壁紙によって室内から室外への熱の移動が抑制される。
これと同時に、壁材や天井の温度が上がって室内にいる人の人体から放射される熱量と壁や天井から放射される熱量との差が小さくなり、しかも遠赤外線の放射率が１００％に近いセラミックス粉体である遮熱粒子が遠赤外線を放射するので、温室効果が実現され、冬に室温が低くても体感温度が低くならず、室内で快適に過ごすことができる。
よって、暖房のコストを低減でき、また結露も防止できる。
【００１６】
このように本発明に係る住宅用遮熱構造は遮熱性に優れるものであるが、本発明に係る壁紙はアルミの蒸着によって遮熱性を得たものではないので、通常の壁紙のように壁紙の色や模様を自由に選択可能であり、遮熱のために意匠性が犠牲にならない。
また、遮熱塗料のように刷毛やローラーで塗布しなくてもよく、また壁紙の施工直後の乾燥時間をほとんど必要としないので、遮熱塗料に比べて施工が容易で施工時間も短い。
さらに、壁紙の施工は遮熱塗料の塗布のように施工時にまわりを汚すこともないので、養生の必要も無い。
【００１７】
ここで壁紙として、遮熱粒子が混合された樹脂からなる樹脂遮熱層を室内側表面に有するもの（請求項２）であっても、又は遮熱粒子が吹き付けられてなる吹付遮熱層を室内側表面に有するもの（請求項３）であっても、これらの効果を得ることができる。
【００１８】
なお、本発明の住宅用遮熱構造のように、遮熱粒子を含有する壁紙を貼着し室内側に露出させた点は、上述した特許文献１には全く記載されていない。
【図面の簡単な説明】
【００１９】
【図１】本発明の実施形態に係る住宅用遮熱構造を示す要部拡大断面図である。
【図２】本発明及び従来例に係る住宅用遮熱構造を示す横断面図である。
【発明を実施するための形態】
【００２０】
図１及び２を参照して、本発明の実施形態に係る住宅用遮熱構造を説明する。
この住宅用遮熱構造は、住宅の壁材２０又は天井に用いられるものである。
ここでは特に、壁材２０における遮熱構造ついて説明するが、室内側Ｐに露出する壁紙２４に関しては天井にも同様に適用できる。
なお、従来例で示したものと同一部分には同一符号を付した。
【００２１】
壁材２０は、外側壁材１１と内側壁材１３と断熱材１２を備える。
外側壁材１１は、壁材２０を構成し室外側Ｑに露出する板材である。外側壁材１１の室外側Ｑの面は風雨に晒されるので、防水加工や防汚加工等が適宜施される。
【００２２】
断熱材１２は、ボード状の、例えば硬質ウレタンであって、外側壁材１１と内側壁材１３との間かつ隣接する間柱Ｈ間に設けられる。本実施形態においては、図２に示すように外側壁材１１と内側壁材１３との間、及び隣接する間柱Ｈ間に隙間なく断熱材１２を配置したが、例えば外側壁材１１と断熱材１２との間に隙間ができるように断熱材１２を配置してもよい。また、グラスウールや発泡ウレタンフォーム等の他の断熱材１２であってもよい。
【００２３】
内側壁材１３は、室内側Ｐに露出する板材である。そして、内側壁材１３の室内側Ｐ表面には壁紙２４（クロス）が貼着される。
壁紙２４は、ここではいわゆるビニールクロスであり、図１に示すように、ポリ塩化ビニール樹脂を主原料とするビニールシート２４ａと、基材である裏打ち紙２４ｂの二層からなる。そして、壁紙２４の裏打ち紙２４ｂ側が内側壁材１３に貼着され、ビニールシート２４ａが壁紙２４の室内側Ｐ表面となる。
ビニールシート２４ａを成形するときにポリ塩化ビニール樹脂に遮熱粒子を混合しており、ビニールシート２４ａ全体に満遍なく遮熱粒子が混ざっている。このビニールシート２４ａが壁紙２４における樹脂遮熱層２４ａとなる。
【００２４】
混合する遮熱粒子はセラミックス粉体であって、人体がよく吸収する３〜５μｍの遠赤外線の放射率が１００％に近い。また、セラミックス粉体は中空粒子であり熱容量が小さい。
また、壁紙２４のビニールシート２４ａには、凹凸のあるエンボス加工や発泡加工等の、意匠性を向上させる様々な加工を施すことできる。その他、ビニールシート２４ａにはプリントを施すことも容易であり、ユーザーの趣向に応じた色や模様のものを選択可能である。
【００２５】
以上のように構成された住宅用遮熱構造によれば、住宅の壁材２０に、遮熱粒子を含有する壁紙２４を貼着し室内側Ｐに露出させたので、夏においては、壁材２０から室内への輻射熱の放射が抑制される。よって、室内にいる人の人体から放射される熱量が壁材２０や天井から室内に放射される熱量よりも大きくなるので、夏でもひんやりとした体感温度となる。
そして、夏に窓を締め切って外出した後に帰宅した場合等に、室温が上昇していても換気をして外気を取り入れると、セラミックス粉体である遮熱粒子は中空で熱容量が小さいので、遮熱粒子はすぐに換気後の室温と等温となり、室内にいる人は換気後の室温そのものを感じるようになる。
つまり、遮熱粒子を含有する壁紙２４によって輻射を抑えることで主に空気の対流のみを問題としたので、遮熱効果が高く、夏であってもエアコンを用いずに室内で快適に過ごすことができる。またその結果、大幅な省エネにもなる。
【００２６】
一方、冬においては、遮熱粒子を含有する壁紙２４によって室内から室外への熱の移動が抑制される。
これと同時に、壁材２０や天井の温度が上がって室内にいる人の人体から放射される熱量と壁や天井から放射される熱量との差が小さくなり、しかも遠赤外線の放射率が１００％に近いセラミックス粉体である遮熱粒子が遠赤外線を放射するので、温室効果が実現され、冬に室温が低くても体感温度が低くならず、室内で快適に過ごすことができる。
よって、暖房のコストを低減でき、また結露も防止できる。
【００２７】
このように本実施形態に係る住宅用遮熱構造は遮熱性に優れるものであるが、本実施形態に係る壁紙２４はアルミの蒸着によって遮熱性を得たものではないので、通常の壁紙のように壁紙２４の色や模様を自由に選択可能であり、遮熱のために意匠性が犠牲にならない。
また、遮熱塗料のように刷毛やローラーで塗布しなくてもよく、また壁紙２４の施工直後の乾燥時間をほとんど必要としないので、遮熱塗料に比べて施工が容易で施工時間も短い。
さらに、壁紙２４の施工は遮熱塗料の塗布のように施工時にまわりを汚すこともないので、養生の必要も無い。
【００２８】
なお、ビニールクロス２４はビニールシート２４ａと裏打ち紙２４ｂの二層からなるとしたが、これに限られるものではなく、壁紙２４に汚れ防止機能を持たせたり表面の耐久性を向上させたりする等の目的でビニールクロス２４を三層以上のものであってもよい。逆に裏打ち紙２４ｂを省略して、ビニールクロス２４はビニールシート２４ａのみからなるものであってもよい。
【００２９】
また、遮熱粒子をビニールシート２４ａ全体に満遍なく混ぜたが、これに限られるものではなく、遮熱粒子をビニールシート２４ａの室内側Ｐに偏在させてもよい。
【００３０】
さらに、壁紙２４の樹脂遮熱層２４ａは主原料をポリ塩化ビニールとしたが、これに限られるものではなく、例えばアクリル樹脂やオレフィン系樹脂等の他の樹脂を原料としてもよい。
【００３１】
また、壁紙２４の室内側Ｐの表面は樹脂製に限られるものではなく、紙等の他の素材であってもよい。
壁紙２４が紙からなる場合、壁紙２４の室内側Ｐに遮熱粒子を吹き付けて吸着させることができる。これにより、壁紙２４の室内側Ｐ表面に吹付遮熱層が形成され、この場合も樹脂遮熱層２４ａを有するビニールクロス２４と同様の効果を得ることができる。
もちろん、壁紙２４がビニールクロス２４である場合であっても、樹脂の種類と遮熱粒子の組み合わせにより、遮熱粒子の壁紙２４表面への吸着が可能である場合はそのように吸着させてもよい。
【００３２】
遮熱粒子はセラミックス粉体としたが、これに限られるものではなく、他の公知の遮熱粒子も用いることができる。
【符号の説明】
【００３３】
１０      壁材
１１      外側壁材
１２      断熱材
１３      内側壁材
１４      遮熱塗料
２０      壁材
２４      壁紙
２４ａ    樹脂遮熱層（ビニールシート）
２４ｂ    裏打ち紙
Ｈ      間柱
Ｐ      室内側
Ｑ      室外側
【図１】
2014034820.tif 000003
【図２】
2014034820.tif 000004